(57)【要約】【課題】ホース接続部に接続されていない状態の油圧ホースの端部からの塵埃や雨水の侵入を防ぐと共に油圧ホースの端部の破損を防止することのできる油圧ホースの端部保護カバーを提供する。【解決手段】シート状の部材からなり、一端部が開放され、他端部が閉鎖された筒状のカバー本体２を備えている。これにより、一対の油圧ホース２３の他端側に端部保護カバー１を取り付けることによって、油圧ホース２３の端部からの塵埃や雨水の侵入を防ぐことができるので、油圧回路内に塵埃や雨水が侵入することによる故障を防止することができる。また、一対の油圧ホース２３の端部同士が大きく揺れて接触したり油圧ホース２３の端部が他の部材に対して直接接触したりすることを防ぐことができるので、油圧ホース２３の端部の破損を防止することができる。【選択図】図７
2015040622.tif 000002
【特許請求の範囲】
【請求項１】
アクチュエータや他の油圧ホースの端部に設けられたホース接続部に着脱可能な油圧ホースの端部を、ホース接続部から取り外された状態で覆う油圧ホースの端部保護カバーであって、
シート状の部材からなり、一端部が開放され、他端部が閉鎖された筒状のカバー本体を備えた
ことを特徴とする油圧ホースの端部保護カバー。
【請求項２】
カバー本体には、油圧ホースの端部近傍に設けられた部材にカバー本体を係止する係止部が設けられている
ことを特徴とする請求項１に記載の油圧ホースの端部保護カバー。
【請求項３】
カバー本体の他端側には、カバー本体の内部に侵入した水を排出する排水部が設けられている
ことを特徴とする請求項１または２に記載の油圧ホースの端部保護カバー。
【発明の詳細な説明】
【技術分野】
【０００１】
本発明は、例えば、油圧で駆動するアクチュエータに作動油を供給する油圧ホースの端部保護カバーに関するものである。
【背景技術】
【０００２】
従来、油圧配管の保護カバーとしては、油圧配管の損傷による作動油の外部への漏洩を防止するために、継手を介して接続された油圧ホースの接続部の外周部を覆うものが知られている（例えば、特許文献１参照）。
【０００３】
一方、例えば、大型の移動式クレーン等、油圧回路を備えた大型の作業機械では、アウトリガ等、油圧で駆動するアクチュエータを含む部分を取り外さなければ、規則等によって公道の走行が認められないものがある。このため、大型の作業機械は、油圧回路の少なくとも一部を、可撓性を有する油圧ホースによって構成し、油圧ホースのホース接続部に対して油圧ホースを着脱自在としている。
【先行技術文献】
【特許文献】
【０００４】
【特許文献１】特開２０１２−１８９１９８号公報
【発明の概要】
【発明が解決しようとする課題】
【０００５】
前記大型の作業機械は、アクチュエータを含む部分を取り外した状態で公道を走行する。また、大型の作業機械から取り外されたアクチュエータを含む部分は、運搬車両の荷台に乗せられた状態で運搬される。このため、大型の作業機械から取り外されたアクチュエータを含む部分の運搬時には、油圧ホースの端部から油圧回路内に塵埃や雨水が侵入するおそれがある。また、アクチュエータを含む部分の運搬時には、油圧ホースの端部が運搬車両の走行時の振動で動くことになり、他の油圧ホースの端部や他の部材に接触することによって生じる衝撃によって破損するおそれがある。
【０００６】
本発明の目的とするところは、ホース接続部に接続されていない状態の油圧ホースの端部からの塵埃や雨水の侵入を防ぐと共に油圧ホースの端部の破損を防止することのできる油圧ホースの端部保護カバーを提供することにある。
【課題を解決するための手段】
【０００７】
本発明は、前記目的を達成するために、アクチュエータや他の油圧ホースの端部に設けられたホース接続部に着脱可能な油圧ホースの端部を、ホース接続部から取り外された状態で覆う油圧ホースの端部保護カバーであって、シート状の部材からなり、一端部が開放され、他端部が閉鎖された筒状のカバー本体を備えている。
【０００８】
これにより、ホース接続部に接続されていない状態の油圧ホースの端部がカバー本体によって覆われることから、油圧ホースの端部からの塵埃や雨水の侵入を防ぐと共に油圧ホースの端部が他の部材に対する直接の接触を防ぐことができる。
【発明の効果】
【０００９】
本発明によれば、油圧ホースの端部からの塵埃や雨水の侵入を防ぐことができるので、油圧回路内に塵埃や雨水が侵入することによる故障を防止することができる。また、油圧ホースが大きく揺れて他の油圧ホースの端部と接触したり油圧ホースの端部が他の部材に対して直接接触したりすることを防ぐことができるので、油圧ホースの端部の破損を防止することができる。
【図面の簡単な説明】
【００１０】
【図１】本発明の一実施形態を示す端部保護カバーが取り付けられる油圧ホースを有する移動式クレーンの側面図である。
【図２】アウトリガユニットの要部斜視図である。
【図３】端部保護カバーの全体斜視図である。
【図４】端部保護カバーの平面図である。
【図５】端部保護カバーの側面図である。
【図６】端部保護カバーの底面図である。
【図７】端部保護カバーが取り付けられた状態を示すアウトリガユニットの要部斜視図である。
【発明を実施するための形態】
【００１１】
図１乃至図７は、本発明の一実施形態を示すものである。
【００１２】
本発明の油圧ホースの端部保護カバー１は、例えば、大型の移動式クレーン１０に適用される。移動式クレーン１０は、図１に示すように、走行する車両２０と、作業部としてのクレーン装置３０と、を備えている。
【００１３】
車両２０は、車輪２１を有し、エンジンを動力源として走行する。また、車両２０の前側および後側には、クレーン作業時に車両２０の転倒を防止するとともに、車両２０を安定的に支持するためのアウトリガユニット２２が設けられている。アウトリガユニット２２は、地面に接触する接地部が、幅方向外側に張出可能であるとともに、油圧式のジャッキシリンダ（図示せず）を下方に伸長し車両の支持が可能である。
【００１４】
クレーン装置３０は、車両２０の前後方向略中央部に水平面上を旋回可能に設けられた旋回台３１と、旋回台３１に対して起伏可能に設けられるとともに、伸縮可能に設けられたブーム３２と、旋回台３１の前側に設けられ、車両２０の走行およびクレーン装置３０による作業に関する操作を行うためのキャビン３３と、を備えている。
【００１５】
アウトリガユニット２２は、車両２０に対して着脱自在に設けられている。車両２０は、アウトリガユニット２２を取り外した状態で公道を走行する。また、車両２０から取り外されたアウトリガユニット２２は、運搬車両の荷台に乗せられた状態で運搬される。
【００１６】
車両２０及びアウトリガユニット２２には、車両２０に設けられた油圧ポンプから吐出された作動油をジャッキシリンダに供給し、ジャッキシリンダから排出された作動油を車両２０に設けられた作動油タンクに戻すための油圧回路が設けられている。このため、車両２０とアウトリガユニット２２との間は、油圧回路を構成するために、可撓性を有する一対の油圧ホース２３によって着脱可能に接続される。
【００１７】
油圧ホース２３は、一端部がアウトリガユニット２２に接続されている。また、油圧ホース２３は、他端部がワンタッチ式の継手２４を介して車両２０のホース接続部に着脱可能に接続される。継手２４は、車両２０のホース接続部の向きに応じた形状となっており、図２では端部が油圧ホース２３の延びる方向と直交する方向に向いたＬ字状に形成されている。
【００１８】
また、アウトリガユニット２２には、車両２０のホース接続部から取り外された状態の一対の油圧ホース２３の他端側をまとめて保持するためのホース保持部２５が設けられている。ホース保持部２５は、一対の油圧ホース２３の他端側を保持することで、アウトリガユニット２２の搬送時に各油圧ホース２３の他端側の動きを規制するものである。
【００１９】
ホース保持部２５は、一対の油圧ホース２３の他端側を係止するための保持部本体２５ａと、保持部本体２５ａに係止された油圧ホース２３が保持部本体２５ａから脱落することを防止するための脱落規制部材２５ｂと、を有している。
【００２０】
保持部本体２５ａは、棒状の部材をＵ字状に屈曲することによって形成されている。保持部本体２５ａは、屈曲した部分を下方に向けてアウトリガユニット２２に固定され、上部に上方に開放された開放部２５ｃを有している。一対の油圧ホース２３は、開放部２５ｃを上下に通過することが可能である。
【００２１】
脱落規制部材２５ｂは、保持部本体２５ａの開放部２５ｃを開閉可能に設けられている。脱落規制部材２５ｂ一端部は、アウトリガユニット２２の保持部本体２５ａの上方に位置する部分に回転自在に支持されている。脱落規制部材２５ｂは、他端部が下方を向いた状態から上方に向かって移動する方向に回転させると、保持部本体２５ａの上部に他端部が接触して回転が規制され、開放部２５ｃを閉鎖する。脱落規制部材２５ｂは、捩じりばね等の付勢部材によって開放部２５ｃを閉鎖する方向に付勢されている。脱落規制部材２５ｂは、他端部が下方に移動する方向に付勢力に抗して回転させると、開放部２５ｃを開放する。
【００２２】
本発明の油圧ホースの端部保護カバー１は、一対の油圧ホース２３が、車両２０のホース接続部から取り外され、ホース保持部２５に係止された状態で使用されるものである。
【００２３】
端部保護カバー１は、図３乃至図６に示すように、一対の油圧ホース２３の他端部をまとめて覆うためのカバー本体２と、アウトリガユニット２２にカバー本体２を係止させるための係止部３と、を有している。
【００２４】
カバー本体２は、例えば、織布の表面に合成樹脂フィルムを張り付けた防水性を有するシート状の部材からなる。カバー本体２は、一端部が開放され、他端部が閉鎖された筒状に形成されている。カバー本体２は、一端部及び他端部の幅方向の寸法よりも中央部の幅方向寸法が大きく形成されている。カバー本体２は、一端部及び他端部から中央部に向かって徐々に幅方向の寸法が大きくなる。カバー本体２は、一端部及び中央部の高さ寸法よりも他端部の高さ方向の寸法が大きく形成されている。カバー本体は、中央部から他端部に向かって徐々に高さ方向の寸法が大きくなる。
【００２５】
カバー本体２の底面には、一端部から他端側に向かって線ファスナ２ａが設けられ、線ファスナ２ａを開放することによって一端部の開口が大きくなる。
【００２６】
カバー本体２の底面の他端側には、カバー本体２の内部に侵入した水を排出するための複数の排水部２ｂ（図では４箇所）が設けられている。排水部２ｂは、カバー本体２に設けられた開口であり、開口の縁部が合成樹脂製のハトメによって補強されている。
【００２７】
係止部３は、カバー本体２の一端部に設けられている。係止部３は、カバー本体２と同様の材質のシート状の部材からなり、帯状に形成されている。係止部３の一端部は、カバー本体２の一端部の開口の幅方向一端側に固定されている。また、係止部３の他端部は、カバー本体２の一端部の開口の幅方向他端側にスナップボタン３ａを介して着脱自在に取り付けられる。
【００２８】
以上のように構成された油圧ホースの端部保護カバーにおいて、一対の油圧ホース２３に端部保護カバー１を取り付ける方法を説明する。
【００２９】
まず、端部保護カバー１の取り付け作業を行う作業者は、車両２０のホース接続部から取り外された状態の一対の油圧ホース２３の他端側を、保持部本体２５ａの上方から開放部２５ｃに向かって下降させ、保持部本体２５ａに保持させる。このとき、脱落規制部材２５ｂは、一対の油圧ホース２３が当接することによって回転し、開放部２５ｃを開放する。また、脱落規制部材２５ｂは、一対の油圧ホース２３が開放部２５ｃを通過した後に付勢部材の付勢力によって回転し、開放部２５ｃを閉鎖する。保持部本体２５ａに保持された一対の油圧ホース２３は、作業者が手で脱落規制部材２５ｂを回転させて開放部２５ｃを開放することで、保持部本体２５ａから取り外すことが可能である。
【００３０】
次に、作業者は、ホース保持部２５に保持された一対の油圧ホース２３の他端側に、端部保護カバー１のカバー本体２を取り付ける。一対の油圧ホース２３の他端側にカバー本体２を取り付ける際には、線ファスナ２ａを開放した状態のカバー本体２で一対の油圧ホース２３を覆った後に線ファスナ２ａを閉めることで、取り付け作業が容易となる。また、一対の油圧ホース２３の他端側にカバー本体２を取り付ける際には、排水部２ｂが下方に向くようにカバー本体２を一対の油圧ホース２３に取り付ける。カバー本体２は、一端部及び他端部の幅方向の寸法よりも中央部の幅方向寸法が、一端部及び他端部から中央部に向かって徐々に大きく形成されている。また、カバー本体２は、一端部及び中央部の高さ寸法よりも他端部の高さ方向の寸法が、中央部から他端部に向かって徐々に大きく形成されている。このため、カバー本体２は、油圧ホース２３の他端部に油圧ホース２３の延びる方向と異なる方向に延びるＬ字形状の継手２４が接続されている場合でも、油圧ホース２３の他端部を覆うことが可能である。
【００３１】
最後に、作業者は、カバー本体２から取り外した係止部３の他端部を、保持部本体２５ａの内側を通した後にスナップボタン３ａによってカバー本体２に取り付ける。これにより、端部保護カバー１は、図７に示すように、保持部本体２５ａに係止され、油圧ホース２３からの脱落が防止される。
【００３２】
このように、本実施形態の油圧ホースの端部保護カバーによれば、シート状の部材からなり、一端部が開放され、他端部が閉鎖された筒状のカバー本体２を備えている。
これにより、一対の油圧ホース２３の他端側に端部保護カバー１を取り付けることによって、油圧ホース２３の端部からの塵埃や雨水の侵入を防ぐことができるので、油圧回路内に塵埃や雨水が侵入することによる故障を防止することができる。また、一対の油圧ホース２３の端部同士が大きく揺れて接触したり油圧ホース２３の端部が他の部材に対して直接接触したりすることを防ぐことができるので、油圧ホース２３の端部の破損を防止することができる。
【００３３】
カバー本体２には、保持部本体２５ａにカバー本体２を係止する係止部３が設けられている。
これにより、油圧ホース２３からカバー本体２が脱落することを防止することができるので、確実に油圧ホース２３の端部を保護することが可能となる。
【００３４】
カバー本体２の他端側には、カバー本体２の内部に侵入した水を排出する排水部２ｂが設けられている。
これにより、カバー本体２の内部に侵入した雨水を確実に排出することができるので、油圧ホース２３の端部からの雨水の侵入をより確実に防止することができる。
【００３５】
尚、前記実施形態では、本発明の端部保護カバー１を、移動式クレーン１０の車両２０とアウトリガユニット２２とを接続する油圧ホース２３に適用したものを示したが、これに限られるものではない。本発明は、油圧ホースによって着脱自在に接続されるものであれば、例えば、ブームを旋回台から取り外して運搬車両によって運搬する移動式クレーンであってもよい。また、本発明は、移動式クレーンに限られず、アクチュエータを含む部分を取り外して運搬車両によって運搬する大型の作業機械に適用可能である。
【００３６】
また、前記実施形態では、一対の油圧ホース２３を１つの端部保護カバー１で覆うようにしたものを示したが、一対の油圧ホース２３をそれぞれ別の端部保護カバーで覆うようにしてもよい。
【００３７】
また、前記実施形態では、ホース保持部２５に保持した油圧ホース２３を端部保護カバー１で覆うようにしたものを示したが、これに限られるものではない。ホース保持部２５で保持されていない油圧ホース２３の他端側を、端部保護カバー１で覆っても同様の効果を得ることが可能である。この場合、アウトリガユニット２２の一対の油圧ホース２３の他端側の近傍の部材に係止部３を係合させることにより、油圧ホース２３からの端部保護カバー１の脱落を防止することができる。
【００３８】
また、前記実施形態では、カバー本体２に線ファスナ２ａを設け、線ファスナ２ａを開放することで一端部の開口を大きくするようにしたものを示したが、線ファスナ２ａの代りに面ファスナやボタン等を設けることによっても一端部の開口を大きくすることが可能となる。
【符号の説明】
【００３９】
１…端部保護カバー、２…カバー本体、２ｂ…排水部、３…係止部、２３…油圧ホース、２４…継手、２５…ホース保持部、２５ａ…保持部本体。
【図１】
2015040622.tif 000003
【図２】
2015040622.tif 000004
【図３】
2015040622.tif 000005
【図４】
2015040622.tif 000006
【図５】
2015040622.tif 000007
【図６】
2015040622.tif 000008
【図７】
2015040622.tif 000009